(57)【要約】【課題】  電話回線からのＩＲ信号の到来にて外付電話機を確実に鳴動させることが可能な通信端末装置を提供する。【解決手段】  回線を介して入力された電気信号の種別からＣＡＲ信号の到来を判断するＣＡＲ信号判断部と、ＦＡＸの動作モードの切替えを指示するＦＡＸモード指示部と、切替られたＦＡＸの動作モードに従って動作するＦＡＸモード動作部とを備え、前記ＣＡＲ信号が到来したときに、前記ＦＡＸモード指示部は、回線からのＩＲ信号到来のタイミングで、回線との接続を確立しない待機状態となるようＦＡＸの動作モードを切替えることを特徴とする通信端末装置。【選択図】  図１
2018186393.tif 000002
【特許請求の範囲】
【請求項１】
回線を介して入力された電気信号の種別からＣＡＲ信号の到来を判断するＣＡＲ信号判断部と、
ＦＡＸの動作モードの切替えを指示するＦＡＸモード指示部と、
切替られたＦＡＸの動作モードに従って動作するＦＡＸモード動作部とを備え、
前記ＣＡＲ信号が到来したときに、前記ＦＡＸモード指示部は、回線からのＩＲ信号到来のタイミングで、回線との接続を確立しない待機状態となるようＦＡＸの動作モードを切替えること
を特徴とする通信端末装置。
【請求項２】
国毎に異なる回線規格をカントリーコードとして管理するカントリーコード管理部を備え、
前記ＦＡＸモード指示部は、前記カントリーコード管理部が管理する設定が国内である場合に、ＦＡＸの動作モードを切替えること
を特徴とする請求項１に記載の通信端末装置。
【請求項３】
前記ＣＡＲ信号の到来前におけるＦＡＸの動作モードは、着呼後直ちにＦＡＸ信号検出を行い受信動作を行うモードであるか又は着呼後１５秒間待ってＦＡＸ信号検出動作を行うモードの何れかであること
を特徴とする請求項１に記載の通信端末装置。
【請求項４】
外付電話のオンフックを検出する外付電話フックアップを検出する外付電話フックアップ検出部を備え、
前記ＦＡＸモード指示部は、前記外付電話フックアップ検出部により前記外付電話がオンフック状態となったことが検出されたときに、ＦＡＸの動作モードを切替えること
を特徴とする請求項１に記載の通信端末装置。
【発明の詳細な説明】
【技術分野】
【０００１】
本発明は、ファクシミリ通信機能を備えた通信端末装置に関するものである。
【背景技術】
【０００２】
従来、同一の電話回線を使用して外付電話機での通話とファクシミリ通信とを行う通信端末装置には、外付電話機による通話とファクシミリ通信との切替えを効率的に行うことを目的とするものがあった（例えば、特許文献１参照）。
【先行技術文献】
【特許文献】
【０００３】
【特許文献１】特開平８−２９８５８５号公報
【発明の概要】
【発明が解決しようとする課題】
【０００４】
しかしながら、従来技術では、ユーザがファクシミリ通信モード（単にＦＡＸモードと称する）をデフォルトの自動受信モード（ＦＡＸ待機）から留守／ＦＡＸ待機モードに設定変更し、且つ、ナンバーディスプレイ契約の場合、電話回線からの呼出信号であるＩＲ信号の到来のタイミングで、装置が電話回線を捕捉してしまうため、ＩＲ信号が到来せず、外付電話機が鳴動しないといった問題があった。
【０００５】
本発明は、このような実状に鑑みてなされたものであり、本発明の課題は電話回線からのＩＲ信号の到来にて外付電話機を確実に鳴動させることが可能な通信端末装置を提供することである。
【課題を解決するための手段】
【０００６】
上記課題を解決するために、本発明に係る通信端末装置は、回線を介して入力された電気信号の種別からＣＡＲ信号の到来を判断するＣＡＲ信号判断部と、ＦＡＸの動作モードの切替えを指示するＦＡＸモード指示部と、切替られたＦＡＸの動作モードに従って動作するＦＡＸモード動作部とを備え、前記ＣＡＲ信号が到来したときに、前記ＦＡＸモード指示部は、回線からのＩＲ信号到来のタイミングで、回線との接続を確立しない待機状態となるようＦＡＸの動作モードを切替えることを特徴としている。
【発明の効果】
【０００７】
本発明によれば、電話回線からのＩＲ信号の到来にて外付電話機を確実に鳴動させることが可能な通信端末装置を提供することができる。
【図面の簡単な説明】
【０００８】
【図１】本実施形態に係る通信端末装置と回線網との接続形態を説明する簡易接続図である。
【図２】通信端末装置における回路制御部の構成を説明する機能ブロック図である。
【図３】ＦＡＸモードの設定として、留守／ＦＡＸ待機モードであるＴｙｐｅ１若しくはＴｙｐｅ３での動作を説明するタイムチャートである。
【図４】図３のタイムチャートに対応する動作を表す機能ブロック図である。
【図５】ＦＡＸモードの設定として、留守／ＦＡＸ待機モードであるＴｙｐｅ２での動作を説明するタイムチャートである。
【図６】図５のタイムチャートに対応する動作を表す機能ブロック図である。
【発明を実施するための形態】
【０００９】
以下、本発明の実施形態について図面を参照して説明する。なお、本発明は以下の記述に限定されるものではなく、本発明の要旨を逸脱しない範囲において適宜変更可能である。
【００１０】
図１は、本実施形態に係る通信端末装置１０２と回線網１０１との接続形態を説明する簡易接続図である。回線網１０１は、通信端末装置１０２の回線端子１０７と接続されており、回線端子１０７は回線制御部１０３と接続されている。回線制御部１０３は、スキャナ部１０４と、印刷部１０５とに接続されている。なお、回線端子１０７を介して装置内に形成された電気信号線を単に回線と称する。
【００１１】
外付電話１０６は、電話端子１０８と接続されている。電話端子１０８は、回線制御部１０３を介して回線網１０１と接続されている。
【００１２】
スキャナ部１０４は、例えば、光源、ＣＣＤ（Charge Coupled Device）イメージセンサ、又はレンズ等を備え、原稿上に形成された画像を読み取り、読み取った画像に基づくドットイメージデータを生成する。スキャナ部１０４で生成したドットイメージデータは回路制御１０３を介して図示せぬ相手側の通信端末装置にＦＡＸデータとして送信することができる。なお、スキャナ部１０４は、印刷部１０５と接続されており、スキャナ部１０４で生成したドットイメージデータに基づく画像を記録媒体に印刷することもできる。
【００１３】
印刷部１０５は、例えば、電子写真方式等の印刷エンジンを備え、スキャナ部１０４で生成したドットイメージデータや、図示せぬ相手側の通信端末装置から回路制御部１０３を介して受信したＦＡＸデータに基づく画像を記録媒体に印刷する。
【００１４】
外付電話１０６は、相手側との通話で使用される電話機である。
【００１５】
図２は、通信端末装置１０２における回路制御部１０３の構成を説明する機能ブロック図である。
【００１６】
通信制御部２０１は、回路制御部１０３全体を制御する。通信制御部２０１は、リング検出判断部２０２と、直流ループ形成指示部２０３と、直流ループ形成判断部２０４と、ＲＬ制御部２０５と、外付電話フックアップ判断部２０６と、カントリーコード管理部２０７と、ＦＡＸモード指示部２０８とを備える。
【００１７】
リング検出判断部２０２は、さらに、ＣＡＲ信号（起動信号）判断部３０１を有し、後述するモデム２１０内の制御Ｉ／F２１１とカントリーコード管理部２０７とに接続されている。リング検出判断部２０２は、回線網１０１から到来するリング信号として後述するシリコンＤＡＡ２３０内のリング検出部２３２が受けたリング信号を、制御Ｉ／Ｆ２１１において通信制御部２０１が判別可能な信号に変換し、リング信号のＯＮ時間、ＯＦＦ時間を判定してリング信号としてＯＫであるかＮＧであるかを判断する。
【００１８】
ＣＡＲ信号判断部３０１は、ナンバーディスプレイの動作で交換機から発せられる、例えば、ＯＮ時間が０．４〜０．６秒、ＯＦＦ時間が０．４〜０．６秒で、周期としては１秒の電気信号であるＣＡＲ信号が入力された場合に、ＣＡＲ信号の到来を判断する。
【００１９】
カントリーコード管理部２０７は、ＦＡＸモード指示部２０８と接続され、国毎に異なる回線規格に対応する為に、動作をパラメータ化して国毎に管理する。
【００２０】
ＦＡＸモード指示部２０８は、装置のＦＡＸ動作としての振る舞いを決定する。
【００２１】
ＦＡＸモード動作部としての直流ループ形成指示部２０３は、制御Ｉ／Ｆ２１１と接続され、後述する直流ループ形成部２４０に回線の直流ループの形成を指示する。直流ループ形成判断部２０４は、制御Ｉ／Ｆ２１１と接続され、直流ループ形成部２４０が回線の直流を保持したか否かを判断する。
【００２２】
ＲＬ制御部２０５は、後述するリレーＲＬ２５０と接続され、リレーＲＬ２５０の動作を制御する。外付電話フックアップ判断部２０６は、後述する外付電話フックアップ検出部２８０と接続され、外付電話フックアップ検出部２８０の出力を所定時間監視し、外付電話１０６がフックアップされたか否かを判断する。
【００２３】
モデム２１０は、回線網１０１からの信号を通信制御部２０１で処理可能としたり、通信制御部２０１からの信号を回線網１０１に送出するものであり、制御Ｉ／Ｆ２１１とＩ／Ｆ２１２とを備える。Ｉ／Ｆ２１２は、制御Ｉ／Ｆ２１１と絶縁受渡部２２０とに接続されている。制御Ｉ／Ｆ２１１は、通信制御部２０１とモデム２１０との信号のやり取りの為のインタフェースである。Ｉ／Ｆ２１２は、モデム２１０とシリコンＤＡＡ２３０との信号のやり取りの為のインタフェースである。絶縁受渡部２２０は、回線の１次側と２次側とを直流的に分離するものであり、シリコンＤＡＡ２３０内のＩ／Ｆ２３１と接続される。
【００２４】
シリコンＤＡＡ２３０は、回線とモデム２１０との間に入り、信号の送出や受信を行うものであり、Ｉ／Ｆ２３１とリング検知部２３２とを有する一般的な構成である。シリコンＤＡＡ２３０内のＩ／Ｆ２３１は、リング検知部２３２と直流ループ形成部２４０とに接続されている。Ｉ／Ｆ２３１は、回線からの信号をモデム２１０へ伝えたり、モデム２１０からの信号を回線へ送出するためのインタフェースである。リング検知部２３２は、絶縁受渡部２７０と接続され回線網１０１から到来するリング信号を受けてリング検出判断部２０２に受け渡すためのインタフェースである。
【００２５】
直流ループ形成部２４０は、ダイオードブリッジ２６０の＋側、−側とシリコンＤＡＡ２３０のグランドに接続され、回線の直流を保持する。ダイオードブリッジ２６０の交流入力側Ａと交流入力側Ｂは、回路端子１０７と、絶縁受渡部２７０と、リレーＲＬ２５０とに接続されている。
【００２６】
ダイオードブリッジ２６０は、回線の直流の極性を直流ループ形成部２４０に合わせるもので、回線の極性が反転しようとしまいと、直流ループ形成部２４０に一方向の直流を供給する。
【００２７】
絶縁受渡部２７０は、回線からの直流成分をカットし、リング検出部２３２に交流成分のみを供給して、リング検出部２３２にリング信号を検出させる。
【００２８】
リレーＲＬ２５０は、電話端子１０８と外付電話フックアップ検出部２８０に接続され、装置が待機状態の場合、ユーザは外付電話１０６を使用することができる。具体的には、通信等を行う場合、リレーＲＬ２５０は外付電話１０６の送話機からのノイズ等がシリコンＤＡＡ２３０を通じてモデム２１０に入らないように動作する。
【００２９】
回線端子１０７は、回線網１０１に接続された通信ケーブルの差込口である。電話端子１０８は、外付電話１０６と外付電話フックアップ検出部２８０とに接続された通信ケーブルの差込口である。
【００３０】
次に、本実施形態の動作について説明する。図３で示すタイムチャートは、ＦＡＸモードの設定として、留守／ＦＡＸ待機モードであるＴｙｐｅ１若しくはＴｙｐｅ３での動作を説明するものである。ここで、Ｔｙｐｅ１は、着呼後直ちにＦＡＸ信号検出を行い受信動作を行うモードである。また、Ｔｙｐｅ３は、着呼後１５秒間待ってＦＡＸ信号検出動作を行うモードである。留守／ＦＡＸ待機モードのＴｙｐｅ１及びＴｙｐｅ３の動作としては、回線網１０１からＩＲ信号が到来するタイミングで装置側において回線網１０１との接続を確立してしまう。これにより、ＩＲ信号にて外付電話１０６が鳴動しないことになる。なお、留守／ＦＡＸ待機モードに設定した場合、Ｔｙｐｅ３がデフォルトのモードである。また、図４は図３のタイムチャートに対応する動作を表す機能ブロック図である。
【００３１】
まず、図３のＴ１において、図示せぬ交換機からリング信号として、ＣＡＲ信号が到来し、シリコンＤＡＡ２３０内のリング検出部２３２に当該リング信号が入力される。なお、ＣＡＲ信号はＯＮ時間が０．４〜０．６秒、ＯＦＦ時間が０．４〜０．６秒で、周期としては１秒である。一方、ＩＲ信号はＯＮ時間が１秒、ＯＦＦ時間が２秒である。
【００３２】
次に、Ｔ２において、リング検出部２３２の出力が通信制御部２０１内のリング検出判断部３０２に入力される。このとき、ＦＡＸモードの設定が、留守／ＦＡＸ待機モードのＴｙｐｅ１又はＴｙｐｅ３の何れかであるため、リング検出判断部２０２はリング信号の到来とは判断しない。
【００３３】
そして、Ｔ３において、外付電話１０６がナンバーディスプレイ対応の動作を行うことにより、回線網１０１との接続が確立される。これにより、外付電話フックアップ検出部２８０は、外付電話１０６のフックアップを検出する。
【００３４】
Ｔ４において、外付電話フックアップ判断部２０６は、外付電話１０６のオフフックであると判断する。このとき、回線網１０１から相手側の電話番号の情報を含んだモデム信号が到来し、外付電話１０６にてその信号が受信される。
【００３５】
次に、Ｔ５において、外付電話１０６は、ナンバーディスプレイ対応の動作として回線網１０１との接続を開放する。これにより、外付電話フックアップ検出部２８０は、外付電話１０６のオンフックを検出する。
【００３６】
Ｔ６において、外付電話フックアップ判断部２０６は、外付電話１０６のオンフックであると判断する。
【００３７】
そして、Ｔ７では、外付電話１０６がオンフックとなったことにより、留守／ＦＡＸ待機モードにおけるＴｙｐｅ１若しくはＴｙｐｅ３の動作として、直流ループ形成指示部２０３は、制御Ｉ／Ｆ２１１を通じて直流ループ形成部２４０に直流ループの形成を指示する。
【００３８】
Ｔ８において、直流ループ形成指示部２０３の指示に基づき、直流ループ形成部２４０は、回線の直流を保持して直流ループを形成する。
【００３９】
Ｔ９において、直流ループ形成判断部２０４は、直流ループ形成部２４０により直流ループが形成されたと判断し、その旨をＲＬ制御部２０５に通知する。通知を受けたＲＬ制御部２０５は、Ｔ１０において、リレーＲＬ２５０がＯＮとなるよう制御する。
【００４０】
Ｔ１１において、リレーＲＬ２５０がＯＮとなると、以降はＦＡＸ受信動作となる。
【００４１】
図４は、上記Ｔ１１の時点における動作を表す機能ブロック図である。ナンバーディスプレイの動作として、交換機からＩＲ信号が到来するタイミングであるが、このように、装置にて回線網１０１との接続が捕捉されてしまうため、交換機からＩＲ信号が発せられないことになる。よって、この状態では外付電話１０６は鳴動しない。
【００４２】
図５で示すタイムチャートは、ＦＡＸモードの設定として、留守／ＦＡＸ待機モードであるＴｙｐｅ２での動作を説明するものである。ここで、Ｔｙｐｅ２は、着呼後直ちにＦＡＸ信号検出を行うモードである。留守／ＦＡＸ待機モードのＴｙｐｅ２の動作としては、回線網１０１からＩＲ信号が到来するタイミングで装置側において回線網１０１との接続を確立せず、待機状態となる。これにより、ＩＲ信号にて外付電話１０６が鳴動することになる。なお、図６は図５のタイムチャートに対応する動作を表す機能ブロック図である。
【００４３】
まず、図５のＴ１において、図示せぬ交換機からリング信号として、ＣＡＲ信号が到来し、シリコンＤＡＡ２３０内のリング検出部２３２に当該リング信号が入力される。
【００４４】
次に、Ｔ２において、リング検出部２３２の出力が通信制御部２０１内のリング検出判断部２０２に入力され、さらに、ＣＡＲ信号判断部３０１に入力される。ＣＡＲ信号判断部３０１は、ＣＡＲ信号の到来と判断する。
【００４５】
そして、Ｔ３において、カントリーコード管理部２０７は、現在設定されているカントリーコードを確認する。ここでは、カントリーコードとして“国内”が設定されているものとする。
【００４６】
カントリーコード管理部２０７による確認を経て、ＦＡＸモード指示部２０８は、ＦＡＸモードの動作変更を指示する。この場合、ＦＡＸモード指示部２０８は留守／ＦＡＸ待機モードのＴｙｐｅ２での動作を指示する（Ｔ４）。
【００４７】
Ｔ５において、外付電話１０６がナンバーディスプレイ対応の動作を行うことにより、回線網１０１との接続が確立される。これにより、外付電話フックアップ検出部２８０は、外付電話１０６のフックアップを検出する。
【００４８】
Ｔ６において、外付電話フックアップ判断部２０６は、外付電話１０６のオフフックであると判断する。このとき、回線網１０１から相手側の電話番号の情報を含んだモデム信号が到来し、外付電話１０６にてその信号が受信される。
【００４９】
次に、Ｔ７において、外付電話１０６は、ナンバーディスプレイ対応の動作として回線網１０１との接続を開放する。これにより、外付電話フックアップ検出部２８０は、外付電話１０６のオンフックを検出する。
【００５０】
Ｔ８において、外付電話フックアップ判断部２０６は、外付電話１０６のオンフックであると判断する。
【００５１】
そして、Ｔ９では、外付電話１０６がオンフックとなったことにより、留守／ＦＡＸ待機モードにおけるＴｙｐｅ２の動作として、直流ループ形成指示部２０３は、Ｔｙｐｅ１若しくはＴｙｐｅ３の動作とは異なり、制御Ｉ／Ｆ２１１を通じて直流ループ形成部２４０に直流ループの形成を指示しない。
【００５２】
Ｔ１０において、直流ループ形成部２４０は、回線の直流を保持して直流ループを形成しない。
【００５３】
Ｔ１１において、直流ループ形成判断部２０４は、直流ループ形成部２４０により直流ループが形成されていないと判断し、その旨をＲＬ制御部２０５に通知する。通知を受けたＲＬ制御部２０５は、Ｔ１２において、リレーＲＬ２５０がＯＦＦのままとなるよう制御する。
【００５４】
Ｔ１３において、リレーＲＬ２５０はＯＦＦのままであり、装置は回線網１０１との接続を確立せず、待機状態となる。
【００５５】
図６は、上記Ｔ１３の時点における動作を表す機能ブロック図である。ナンバーディスプレイの動作として、交換機からＩＲ信号が到来するタイミングであるが、このように装置は待機状態であるため、交換機からＩＲ信号が発せられ外付電話１０６は鳴動することになる。
【００５６】
以上のように、本実施形態によれば、ナンバーディスプレイの動作として交換機から発せられるＣＡＲ信号を検出して、ＦＡＸモードを留守／ＦＡＸ待機モードをＴｙｐｅ２として動作させることにより、交換機からＩＲ信号が到来するタイミングでは装置が回線網とは接続を確立しない待機状態となるため、ＩＲ信号にて外付電話が鳴動することが可能となる。
【００５７】
本発明を適用可能な通信端末装置として、例えば、ＭＦＰやファクシミリ等を挙げることができるが、これに限らず、スキャナとプリンタとがネットワークを介して接続された複合システム等にも適用可能である。
【符号の説明】
【００５８】
１０１  回線網
１０２  通信端末装置
１０３  回線制御部
１０４  スキャナ部
１０５  印刷部
１０６  外付電話
１０７  回線端子
１０８  電話端子
２０１  通信制御部
２０２  リング検出判断部
２０３  直流ループ形成指示部
２０４  直流ループ形成判断部
２０５  ＲＬ制御部
２０６  外付電話フックアップ判断部
２０７  カントリーコード管理部
２０８  ＦＡＸモード指示部
２１０モデム
２１１  制御Ｉ／Ｆ
２１２  Ｉ／Ｆ
２２０、２７０  絶縁受渡部
２３０  シリコンＤＡＡ
２３１  Ｉ／Ｆ
２３２  リング検出部
２４０  直流ループ形成部
２５０  リレーＲＬ
２６０  ダイオードブリッジ
２８０  外付電話フックアップ検出部
【図１】
2018186393.tif 000003
【図２】
2018186393.tif 000004
【図３】
2018186393.tif 000005
【図４】
2018186393.tif 000006
【図５】
2018186393.tif 000007
【図６】
2018186393.tif 000008